(57)【要約】【課題】 個々の対象民生品の形状に適合させた被覆物品に、対象民生品との複数回の着脱に耐えうる着脱機構を持たせる。【解決手段】 着脱機構を有する被覆物品であって、民生品表面21、22の形状に適合する被覆物品表面裏側16、被覆物品表面裏側17を有すると共に、前述の構成要素16、17に接合したメカニカルファスナー（ループ）15を用いて、民生品表面21に接着したメカニカルファスナー（フック）18と着脱可能であることを特徴とする。【選択図】 図３
2008295942.tif 000002
【特許請求の範囲】
【請求項１】
民生品表面に着脱可能な被覆物品であって、民生品表面の形状に適合する裏面形状を有すると共に、前記裏面にメカニカルファスナーを用いて、前記メカニカルファスナーで着脱可能となったことを特徴とする被覆物品。
【発明の詳細な説明】
【技術分野】
【０００１】
本発明は、電化製品の筐体表層、容器表層に対して、脱着が可能な被覆物品に関する。
【背景技術】
【０００２】
従来、電子機器筐体表装、容器表装に覆い被せることのできる被覆物品は、塗装加工や成型色による樹脂製品を用いてデザインを凝らした製品が生産、使用されている。しかしながら、それらは構造的には単に、捻子を用い器具を用いなければ着脱できないもの、複数回の着脱に適さない両面粘着シートで貼り付けるもの、着脱困難な接着剤で固定するものである。
【０００３】
従来、被覆物品は大量生産が容易な樹脂加工品が主である。そのため、樹脂加工品では容易に表面に風合を表現することができない。 
【０００４】
従来、被覆物品は大量生産のため一つの形状で他種類の似通った物品を対象としていた。そのため、対象品に適合する形状ではない。 
【０００５】
なお、本願発明に関連する公知技術として次の特許文献1及び非特許文献1、2を挙げることができる。 
【０００６】
【特許文献１】特開２００６−１７３７２９号公報
【非特許文献１】「まもるくん」、公式WEBサイト http://www.mamorukun.jp/
【発明の開示】
【発明が解決しようとする課題】
【０００７】
上述の如く、従来の被覆物品は、他種類の対象物品に対しての適合性に問題点がある。一形状の被覆物品で複数の形状の似通った物品を対象としているため、個々の対象物品の形状に適合することが困難である。 
【０００８】
また、上述の如く、従来の被覆物品は、着脱利便性と風合に問題点が多い。着脱利便性に関しては、捻子を用いた場合は器具や手間がかかり、両面粘着シートを用いた場合は複数回の着脱動作によって両面接着シートの接着力が弱まり着脱能力が失われてしまい、接着剤を用いた場合は着脱すること自体が困難となる。 
【０００９】
このため、個々の対象物品の形状に適合することができる技術が求められる。 
【００１０】
また、このため、容易で複数回の着脱に耐えうる技術が求められる。 
【課題を解決するための手段】
【００１１】
本発明は、このような点に鑑みて成されたものであり、その目的は、個々の対象物品の形状に適合させる技術と共に、複数回の着脱に耐えうる技術を用いて、個々の民生品表面に適合した着脱可能な被覆物品を提供するものである。 
【００１２】
上述の目的を達成する本発明の被覆物品は、単一の対象物品の形状に単一の被覆物品の形状を適合させることを特徴とする。 
【００１３】
上述の目的を達成する本発明の被覆物品は、着脱方法にメカニカルファスナーを用いて着脱可能としたことを特徴とする。 
【発明の効果】
【００１４】
以上説明したように本発明によれば、民生品表面の個々の形状に適合させた被覆物品を製造し、被覆物品の裏面にメカニカルファスナーを縫いつけ、対象となる民生品表面にもメカニカルファスナーを貼り付けることで、着脱が可能となる。 
この被覆物品を例えば携帯電話に用いることで、携帯電話の意匠を任意かつ容易に変更することが可能となり、所有者の個々の趣向にあわせて変更することに極めて有効である。 
【発明を実施するための最良の形態】
【００１５】
以下、本発明の実施の形態を図面に基づき詳細に説明する。 
【００１６】
図１〜３は本発明の第１の実施の形態に係わり、図１はその被覆物品の表面の俯瞰図、図２はその被覆物品の裏面の俯瞰図、図３はその被覆物品と被覆対象となる民生品表面との対比図である。 
【００１７】
図１、２、３に示すように、本被覆物品10は、対象民生品09の個々の形状や特徴に適合させ、被覆物品10と対象民生品09とを着脱可能にしたものである。 
【００１８】
対象民生品09の形状を計測し、割り出された分析結果をもとに、構成面の形状にあわせて被覆物品裏面の構成面を算出する。算出された寸法をもとに、適合する被覆物品10の型紙を作成する。 
【００１９】
上述で作成された被覆物品10の型紙に沿って、素材を加工する。図１、２で示すように、加工した素材群である構成要素11、12、16、17を対象民生品０９の形状を構成する角度に適合させて接合する。民生品表面２１との着脱機構として、構成要素16、17にメカニカルファスナー（ループ）15を接合する。
【００２０】
図３で示すように、民生品表面２１にメカニカルファスナー（フック）18を接着する。構成要素16、17に接合したメカニカルファスナー（ループ）15を民生品表面２１に接着したメカニカルファスナー（フック）18と接着することにより、対象民生品09と被覆物品10との着脱機構が成立する。
【実施例】
【００２１】
対象となる民生品表面21、22は例えば、W53mm x H9mm x D100mmの寸法を有する“角が取れた立方体もどき”形状をしており、外周は273mm、表面の中心の開口部19はW24mm x H16mm、開口部20は直径8mmの円である。個々の民生品表面の形状に適合する被覆物品を製造する際に、前述の対象となる民生品表面の寸法を計測し、個々に型紙を作成する。前述の型紙にあわせて素材を加工する、例えば生地を型紙に沿って構成要素11、12、16、17を裁断する。対象となる民生品表面の個々の形状に適合させるため、被覆物品を試作し、型紙に修正する。構成要素11、12、16、17を縫合する。前述で試作された被覆物を、対象となる民生品表面にあわせ不適合部を再計測し、民生品表面と被覆物品との適合度合いを上げるため型紙が再度修正され、製品の型紙が完成する。 
【００２２】
製品である被覆物品を作成するにあたり、上述で作成された被覆物品１０の型紙に沿って、構成要素11、12、16、17を裁断する。裁断した構成要素11、16に民生品表面の特徴19に適合した開口部13を設け、構成要素11、12、16、17を縫合する。民生品表面２１との着脱機構として、構成要素16、17にメカニカルファスナー（ループ）15を接合する。構成要素11、16に民生品表面の特徴20に適合した開口部14を設けて鳩目を接合して完成する。 
【００２３】
以上、本発明の実施の形態及び実施例を説明したが、被覆物品１０と民生品表面２１とを着脱させるためには、民生品表面21に接着したメカニカルファスナー（フック）18と、構成要素16、17に接合したメカニカルファスナー（ループ）15を接着させる。 
【産業上の利用可能性】
【００２４】
本発明は民生品表面の形状に個々に適合しつつ、着脱可能な被覆物品を製造、販売する産業分野で利用することができる。 
【図面の簡単な説明】
【００２５】
【図１】本発明の被覆物品の表面の俯瞰図である。
【図２】図１の被覆物品の裏面の俯瞰図である。
【図３】図１の被覆物品と被覆対象となる民生品表面との対比図である。
【符号の説明】
【００２６】
09  対象民生品 
10  被覆物品 
11  被覆物品表面表側 
12  被覆物品側面表側 
13  開口部１ 
14  開口部２ 
15  メカニカルファスナー（ループ）
16  被覆物品表面裏側
17  被覆物品側面裏側
18  民生品表面に接着するメカニカルファスナー（フック）
19  民生品表面の特徴１
20  民生品表面の特徴２ 
21  民生品表面 
22  民生品側面 
【図１】
2008295942.tif 000003
【図２】
2008295942.tif 000004
【図３】
2008295942.tif 000005